(57)【要約】      （修正有）【課題】通常は男子の小便は立ってするので、若年層は元気が良く尿の勢きよいが良すぎて便器の外に漏らす失敗があり、特に中高年層になるとどうしても自分の意志道理に行かなくなり、小便の飛沫がトイレの床や壁など汚してしまう事が多いので、男子の小便の飛沫が便器の外側に飛び散らないようにした洗浄便座を提供する。【解決手段】尿の飛沫で便器や便器の外側の床と壁などを汚さないようにする物理的な構造の壁で遮り、常に清潔を保つために遮壁に付く尿の飛沫を洗い流す遮壁洗浄ノズル付きの折り畳み式の遮壁を有する洗浄便座。または遮壁を強風の出るエアーカーテンとして、男子の小便の飛沫が便器の外側に飛び散らないようにする。【選択図】図２
2018102371.tif 000002
【特許請求の範囲】
【請求項１】
（１）小便の飛沫を防ぐための防水遮壁に、小便の飛沫が飛び散り不潔になるのを防ぐために便座を上げて小便をする時には、便座の裏に有るノズルからからスプレイのようにシャワー洗浄水が出ていつも洗浄して綺麗になる。飛沫を防ぐための防水遮壁は用を足して便座が下に下がる時にシャワー洗浄水が停止して便座の下（裏側）の中に収納されるので、大便等の汚物の汚れで不潔な不衛生になる事はまず無い。
（２）男子の小便の飛沫の水滴が付かないように、水滴を弾き飛ばす非常に細かい超微細な加工技術を使った凹凸の有る表面処理を加えた材料を使った、防水遮壁付き洗浄便座。
【請求項２】
小便の飛沫がトイレの床や壁など汚してしまうので、それを防ぐために飛沫を防ぐために、便座の下（裏側）左右にエアーカーテンの出口を付けて空気の流れを便器の内側に向けて強風の出るエアーカーテンの壁を付ける。
【発明の詳細な説明】
【技術分野】
【０００１】
（事前の説明）
現在現在一般的に家庭のトイレには男子用小便器が使われているのは少なく、殆どの多く家庭では洋風便器と洗浄式便座が使われている。小便をする時には女子の場合は腰掛けて用を足すので問題は無いが、男子が用を足す時には便座を上げて立ってするので、どうしても多少尿の飛ぶ方向や、便器の封水面や便器からの跳ね返りの飛沫がトイレの床や壁などを汚してしまう事が有るので、毎日主婦の掃除が大変です。その不満を解決するための洗浄便座である。
本発明の基本は、多くの女性が外で働く時代に少しでもトイレの掃除などの負担を減らすため、少なくとも男子の小便の飛沫が便器の外側に飛び散る事が無いように色んな方法の考え方が有るが、確実に男子の小便の飛沫が便器の外側に飛び散らせないのは、壁を作って遮るのが確実である。洋風便器の洗浄便座は座って使用する場合もあるので、
（１）男子の小便用の遮壁が邪魔にならないように、使用しない時は便座の下（裏側）の中に収納する事で解決する。
（２）又便座の下（裏側）左右にエアーカーテンの出口を付けて空気の流れを便器の内側に向けて、便器の外側には小便の飛沫が飛び散らないようにした。
【背景技術】
【０００２】
（１）男子が小便をする時に、トイレの床や壁などを少しでも汚さないようにするには、男子用小便器の設置をするか、便座に座ってするのが良いが現実には難しい場合が多い。男子の小便の飛沫が便器の外側に飛び散らないようにした防水遮壁付き洗浄便座である。
（２）強風のエアーカーテンの壁で遮るために、男子が小便をする時に便座を上に上げると便座の下（裏側）左右に有るエアーカーテンの出口から便器の中央に向けて強風が吹き出て男子の小便の飛沫が便器の外側に飛び散らないようにした。また水滴を弾き飛ばす非常に細かい超微細な加工技術を使った凹凸の有る表面処理を加えた材料により、便座そのものにも汚れが付かないようにした。
【先行技術文献】
【特許文献】
【０００３】
【特許文献１】特開2016−59416号公報
【特許文献２】特開2014−5671号公報
【発明の概要】
【発明が解決しようとする課題】
【０００４】
特開2016−59416号公報に有るような物は、便器の上に左右に幅の広い物を乗せて、小便の飛沫が便器の外側の床などに落ちないようになっているだけ。
また特開2014−5671号公報に有るような物は、不織布を折りたたんで花のように広げて便器の中に入れて、小便の飛沫が便器の外側に飛び散らないようにした物の考え方とは全く違い、小便をする時には便座の裏側の中に収納されている折り畳み式の遮壁で、小便の飛沫を遮る構造である。
【０００５】
それぞれの家庭のトイレを綺麗に使えて清潔にして、掃除の手間を減らしたい。元々トイレは家族の幼児から高齢者が使い毎日の排泄物で汚れ易くなるので、たかがトイレの問題と言えども工夫の余地があまり少なく、面倒がかからず男子の小便の飛沫が便器の外側に飛び散らせないようにするには、壁を作って遮るのが最も確実である。
【課題を解決するための手段】
【０００６】
トイレの問題点の課題を解決するには、使用者が幾ら気を配って用を足しても、尿の飛沫で便器や便器の外側の床と壁など汚さないようにすることは出来ません。尿の飛沫を遮るには物理的な構造の壁以外には解決出来ないと思われるので、遮壁に付く尿の飛沫を洗い流す遮壁洗浄ノズル付き折り畳み式の遮壁で解決する。また強風の出るエアーカーテンの壁で遮る。
【発明の効果】
【０００７】
通常、男子の立ち小便で飛び散る飛沫で汚れるトイレの床や壁などの煩わしい掃除の手間が減り、トイレの汚れによる不愉快な匂いが無くなり、使用者の家族の気分が爽やかになる。
【図面の簡単な説明】
【０００８】
【図１】折り畳み式遮壁付きの洗浄便座、側面図、正面図。
【図２】折り畳み式遮壁付きの洗浄便座の斜視図。
【図３】操作パネル盤。
【図４】エアーカーテンの壁付き洗浄便座、側面図、正面図。
【図５】エアーカーテンの壁付き洗浄便座の斜視図。
【発明を実施するための形態】
【０００９】
本発明の基本は、如何にして今までに無い男子用の尿の飛沫でトイレの床や壁を汚さないようにするか、今は通常洗浄便座が大分多く使われているようになり、一般的に男子が小便をする時は、３便座の蓋と、２便座のシートの部分を上にあげて使用するので、７便器（陶器）の上面に尿の飛沫を遮る、１折り畳み式の遮壁の、４吸着材シールを強く蜜着させて固定する。便座を上に上げると便座が上に開くので、便座の裏側に取り付けてある折り畳み式の遮壁が開いて飛沫を遮る壁になる。また便座を下に下げる時に、飛沫を遮る壁が折り畳まれて便座の下（裏側）の中に収納される。男子が小便に使用する時には便器や、８封水面の尿の飛沫で汚れるのを防ぐために、５遮壁洗浄ノズルから出る洗浄シャワーで綺麗に洗浄されるのでいつも清潔に保たれる。エアーカーテンの遮壁付き洗浄便座の場合は、便座のシートを上に上げると、９のエアー吹き出し口から強風の出るエアーカーテンの壁が出来る。使用後に便座のシートが下に下がるとエアーの吹き出しは停止する。６の操作盤やリモコンの操作盤で必要なメニューを選択して使用する。
【符号の説明】
【００１０】
1、折り畳み式遮壁。
2、便座。
3、便座の蓋
4、吸着材。
5、遮壁洗浄ノズル。
6、操作盤。
7、便器。
8、封水面。
9、エアーカーテンのエアー吹き出し口。
【図１】
2018102371.tif 000003
【図２】
2018102371.tif 000004
【図３】
2018102371.tif 000005
【図４】
2018102371.tif 000006
【図５】
2018102371.tif 000007
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
幼児や荷物などを乗せる三輪自転車であって、前輪には一輪で、後輪には折り畳み式四輪のベビーカーの後輪を用い、ベビーカーとして使用する時は、自転車の後輪部の駆動輪ギヤーからベビーカーの後輪駆動用車軸連結ギヤーを切り離して幼児用のベビーカーになり、オプションとして前記後輪後輪部を一輪に取り換えて、通常の二輪自転車とすることができることを特徴とする三輪自転車。
【請求項２】
前記後輪駆動ギヤーに脱着用レバーハンドルが設けられた連結バーを連結し、ベビーカー利用時は、安全カバーを外し、前記脱着用レバーハンドルを左に回すと回転コマの動きで前記駆動輪ギヤーを前記後輪駆動用車軸連結ギヤーから外して自転車から切り離し、逆にベビーカー連結時は、自転車後部のローラーを脱着スライドガイドに沿わして前記駆動輪ギヤーを前記後輪駆動用車軸連結ギヤーに落とし込み、嵌め込む事で前記ベビーカーを自転車の後輪部に接続し前記脱着用レバーハンドルで、ロックする事ができる脱着連結システムを持つ請求項１に記載の三輪自転車。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
幼児や荷物などを乗せる三輪自転車であって、前輪には一輪で、後輪には折り畳み式四輪のベビーカー用の後輪を用い、ベビーカーとして使用する時は、自転車の後輪部の駆動輪ギヤーからベビーカーの後輪駆動用車軸連結ギヤー切り離して幼児用のベビーカーになり、オプションとして前記後輪部を一輪に取り換えて、通常の二輪自転車とする事ができることを、特徴とする三輪自転車。
【請求項２】
前記後輪駆動ギヤーに脱着用レバーハンドルが設けられた連結バー連結し、ベビーカー利用する時は、安全カバーを外し、前記脱着用レバーハンドルを左に回すと、回転コマの動きで前記駆動輪ギヤーを前記後輪駆動用車軸連結ギヤーから外して自転車から切り離し、逆にベビーカー連結時は、自転車後部のローラーを脱着スライドガイドに沿わして前記後輪駆動用車軸連結ギヤーに、落とし込み、嵌め込む事で前記ベビーカーを自転車の後輪部に接続し前記駆動輪ギヤーを前記駆動用車軸連結ギヤーに、脱着用レバーハンドルでロックする事ができる脱着連結システムを持つ、請求項第1の三輪自転車。
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
男子が小便をする時に小便の飛沫が便器の外側に飛び散るので、それを防ぐためには折り畳み式の防水遮壁の壁で遮るので、小便の飛沫が便器の外側に飛び散ることを防げるので、また折り畳み式の防水遮壁の壁に付かない様に、水滴を弾き飛ばす凸凹の有る表面処理を加えた材料を使った、防水遮壁付き洗浄便座であり、小便の飛沫を防ぐための防水遮壁に、小便の飛沫が飛び散り不潔になるのを防ぐために、小便をする時には便座のシートを上に上げて、便座のシートの下の裏側に有るノズルからスプレイのようにシャワー洗浄水が出て、小便をしている時はいつも洗浄して綺麗になるので、飛沫を防ぐための防水遮壁は小便をした後に、便座のシートの下の裏側の中に折り畳まれて収納されるので、大便等の汚物の汚れで不潔な不衛生にならない洗浄便座。
【請求項２】
小便の飛沫が便器の外側に飛び散ると、トイレの床や壁などを汚してしまうので、それを防ぐために小便の飛沫が便器の外側に飛び散らない様にするために、便座のシートの下に有る裏側の左右にエアーカーテンの吹き出し口を設けて、そこから吹き出す強い空気の壁で小便の飛沫を遮り、空気の流れを便器の内側に向けて強風が出るエアーカーテンなので、小便が終わったら上に上げた便座のシートが下に下がる時には、便座の下の裏側に有る、左右に有るエアーカーテンの吹き出し口が停止するため、エアーカーテンから強風の空気が外に出る事は絶対にない、男子の小便でトイレの床や壁を汚さない洗浄便座。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
男子が小便をする時に小便の飛沫が、便器の外側に飛び散るので、それを防ぐ為        には左右に有る折り畳み式の防水遮壁の壁で遮り、小便の飛沫が便器の外側に飛        び散るのを防ぐための、小便の飛沫を防ぐ防水遮壁付き洗浄便座であり、また小        便の飛沫を防ぐための防水遮壁に、小便の飛沫が飛び散り不潔になるのを防ぐた        めに、便座のシートを上に上げて小便をする時には、防水遮壁の壁から洗浄水が        シャワーのように吹き出し、洗い流すのでいつも洗浄して綺麗にするので、また        小便の飛沫を防ぐための防水遮壁は小便をした後には、便座のシートが下に下が        ると同時に洗浄水が自動停止して、便座のシートの下の裏側の中に折り畳まれて        収納されるので、大便等の汚物の汚れで不潔で不衛生にはならない洗浄便座。  
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
男子が小便をする時に小便の飛沫が、便器の外側に飛び散るので、それを防ぐ為には左右に有る折り畳み式の防水遮壁の壁で遮り、小便の飛沫が便器の外側に飛び散るのを防ぐための、小便の飛沫を防ぐ防水遮壁付き洗浄便座であり、また小便の飛沫を防ぐための防水遮壁に、小便の飛沫が飛び散り不潔になるのを防ぐために、便座のシートを上に上げて小便をする時には、便座のシートの下の裏側に有るノズルからスプレイのようにシャワー洗浄水が出て、洗い流すのでいつも洗浄して綺麗にするので、また小便の飛沫を防ぐための防水遮壁は小便をした後には、便座のシートの下の裏側の中に折り畳まれて収納されるので、大便等の汚物の汚れで不潔で不衛生にはならない洗浄便座。